(57)【要約】【課題】  マルチライン、代表電話サービスなど複数端末に制御を行うユーザＩＤのプレゼンス情報の通知を行う。【解決手段】  インターネット電話システムにおいて１つのユーザＩＤを使用して複数のユーザＩＤへの着信を制御するサービスで使用される代表ユーザＩＤおよびその代表ユーザＩＤにより制御されるユーザＩＤのグループ情報を、プレゼンスサーバがインターネット電話システムから取得する。そして、プレゼンスサーバ内部において代表ユーザＩＤに対してメッセージの擬似送信手段と擬似受信手段と、複数ユーザＩＤのプレゼンス情報を集約し代表ユーザＩＤのプレゼンス情報に変換する手段を設けることによって複数端末の制御を行うユーザＩＤのプレゼンス情報の制御を行う。【選択図】        図２
2005354562.tif 000002
【特許請求の範囲】
【請求項１】
ユーザがインターネット電話システムを使用するときに加入者端末に相手の状態を示すプレゼンス情報を提供するインターネット電話プレゼンスシステムにおいて、
前記代表ユーザＩＤおよび前記ユーザＩＤグループの情報を取得する手段と、
前記代表ユーザＩＤに従った代表ユーザＩＤ仮想端末をプレゼンスシステム内に生成する手段と、
前記代表ユーザＩＤ仮想端末により前記ユーザＩＤグループのプレゼンス情報を集約し集約プレゼンス情報を生成する手段と、
前記集約プレゼンス情報を通知する手段とを備え、１つの代表ユーザＩＤにより複数の異なるユーザＩＤによって構成されたユーザＩＤグループの制御を行うサービスを可能としたことを特徴とするインターネット電話プレゼンスシステム。
【請求項２】
前記代表ユーザＩＤおよびユーザＩＤグループの情報を取得する手段は、
インターネット電話システムが保持している前記代表ユーザＩＤおよび前記ユーザＩＤグループ情報を参照する手段と、
前記インターネット電話システムからの前記代表ユーザＩＤおよ前記ユーザＩＤグループ情報の通知を取得する手段と、
取得した前記代表ユーザＩＤおよび前記ユーザＩＤグループ情報を保持する手段とを含むことを特徴とする請求項１に記載のインターネット電話プレゼンスシステム。
【請求項３】
前記代表ユーザＩＤ仮想端末によりユーザＩＤグループのプレゼンス情報を集約する手段は、
前記代表ユーザＩＤ仮想端末からプレゼンスシステムに前記ユーザＩＤグループに登録されているユーザＩＤのプレゼンス情報の通知を要求する手段と、
前記プレゼンスシステムから前記代表ユーザＩＤ仮想端末に前記ユーザＩＤグループに登録されているユーザＩＤのプレゼンス情報の通知を行う手段と、
前記ユーザＩＤグループに登録されているユーザＩＤのプレゼンス情報を前記ユーザＩＤグループとしての集約プレゼンス情報に集約を行う手段とを含むことを特徴とする請求項１に記載のインターネット電話プレゼンスシステム。
【請求項４】
前記ユーザＩＤグループに登録されているユーザＩＤのプレゼンス情報をユーザＩＤグループとしての集約プレゼンス情報に集約を行う手段は、
前記ユーザＩＤグループに登録されているユーザＩＤのプレゼンス情報に重みを負荷して集約する手段を含むことを特徴とする請求項３に記載のインターネット電話プレゼンスシステム。
【発明の詳細な説明】
【技術分野】
【０００１】
本発明はインターネット電話サービスシステムにおけるインターネット電話プレゼンスシステムに関する。
【背景技術】
【０００２】
電話環境においては、ユーザの立場からだけでなく、サービス・プロバイダの立場からも、呼を成功させることについて大きな利益が存在する（例えば、特許文献１参照）。このような観点から、左記特許文献では、ユーザの状態、例えば話中・非話中を示すプレゼンス情報や、プレゼンス情報のように“デジタル”的な概念ではなく、“高い”，“中間”，“低い”というように“等級付け”したアベイラビリティ情報を加入者端末に提供する技術を開示している。具体的には、加入者端末の呼状態の変化を連続的に監視し、呼ありから呼なしへ変化してから所定期間の後に、加入者端末が相互接続されたアベイラビリティシステムにアクセス可能とする。
【０００３】
出願人が認識する他の従来技術の例を図９に示す（文献公知発明に係るものではない）。この従来のインターネット電話サービスシステムは、インターネット電話システム10と、プレゼンスシステム11と、４つの加入者端末120〜123とから構成されている。インターネット電話システム10は、インターネット電話サービスの利用を許されているユーザを管理するための許可ユーザＩＤ13を有する。加入者端末120〜123は、ユーザＩＤ140〜143を有し、ユーザＩＤ140〜143のユーザによって使用される。
【０００４】
プレゼンスシステム11は、ユーザがインターネット電話を使用するときに、加入者端末120〜123にプレゼンス情報を提供するシステムであり、プレゼンス情報を含むユーザＩＤプレゼンス情報15を有する。ユーザＩＤプレゼンス情報15は、“コンテンツ”としてのプレゼンス情報と、プレゼンス情報監視対象と、被プレゼンス情報監視対象とから成る。
【０００５】
以下、プレゼンス情報は、前述のような“デジタル”的な概念に限定することなくアベイラビリティ情報をも包含する広い概念として使用する。また、プレゼンスには、「オフライン」，「オンライン」，「通話中」，「離籍」等、インターネット電話を利用するユーザに発生する状態が定義され得る。
【０００６】
加入者端末12n（n=0〜3）は、インターネット電話システムのサービス許可状態に移行するためには、割り当てられているユーザＩＤ14nを使用してインターネット電話システム10に対してREGISTER(登録)を行う。インターネット電話システム10は、許可ユーザＩＤ130を確認し、ユーザＩＤ14nが許可されているユーザＩＤであればREGISTER(レジスタ：登録)の許可を行う。そして、加入者端末12nがサービスにREGISTER(登録)したことをプレゼンスシステム11に対して通知する。
【０００７】
プレゼンスシステム11は、このREGISTER(登録)の通知により、ユーザＩＤ14nをプレゼンス情報監視対象とするためにSUBSCRIBE(サブスクライブ：状態の購読)を行い、ユーザＩＤ14nのプレゼンス情報監視の開始を行う。
【０００８】
また、加入者端末12nは、プレゼンスシステム11に対して、プレゼンス情報の通知を受けたい加入者端末、すなわち被プレゼンス情報監視対象となるためにユーザＩＤのSUBSCRIBE(状態の購読)を行う。
【０００９】
いま、プレゼンス情報監視対象がユーザＩＤ143（加入者端末123）、被プレゼンス情報監視対象がユーザＩＤ140(加入者端末120)であるとする。加入者端末123の状態をオンラインからオフランに変更した時、加入者端末123はプレゼンスシステム11に対しプレゼンス情報が「オフライン」に変更になったことをNOTIFY(ノーティファイ：公示)により通知する。プレゼンスシステム11は、NOTIFY(公示)によって通知されたユーザＩＤ143のプレゼンス情報の更新を行い、ユーザＩＤ143のプレゼンス情報監視を行っているユーザＩＤ140に対して、ユーザＩＤ143のプレゼンス情報をNOTIFY(公示)により通知を行う。
【００１０】
図１０はプレゼンスシステム11の詳細を示す。レジスタ受信手段1110は、インターネット電話システム10からユーザＩＤ14nのREGISTER(登録)を受信した場合、メッセージ展開を行い受信手段111へ処理の移行を行う。受信手段111は、SUBSCRIBE(状態の購読)の送信が必要であると判断し送信手段112へ処理の移行を行う。送信手段112は、ユーザＩＤプレゼンス情報15にプレゼンス情報監視を行うユーザＩＤ14nの登録を行い、サブスクライブ送信手段1120へ処理の移行を行う。サブスクライブ送信手段1120はSUBSCRIBE(状態の購読)の生成およびび送出を行う。
【００１１】
サブスクライブ受信手段1111は、加入者端末12nからユーザＩＤ14nのSUBSCRIBE(状態の購読)を受信した場合、メッセージの展開を行い受信手段111へ処理の移行を行う。受信手段111は、SUBSCRIBE(状態の購読)の送信元を被プレゼンス情報監視対象として、ユーザＩＤ14nのユーザＩＤプレゼンス情報15への登録を行う。そして、NOTIFY送信が必要であると判断し送信手段112へ処理の移行を行う。送信手段112は、プレゼンス情報のプレゼンス情報の読出しを行い、ノーティファイ送信手段1121に処理の移行を行う。ノーティファイ送信手段1121は、NOTIFY(公示)の生成および送信を行う。
【００１２】
ノーティファイ受信手段1112は、加入者端末12nからNOTIFY(公示)を受信した場合、メッセージの展開を行い受信手段111へ処理の移行を行う。受信手段111は、NOTIFY(公示)によって通知されたプレゼンス情報によって、当該ユーザＩＤ14nに対するプレゼンス情報の更新を行い、NOTIFY送信が必要であると判断し送信手段112へ処理の移行を行う。送信手段112は、ユーザＩＤ14nのプレゼンス情報と被プレゼンス情報監視対象の読出しを行い、ノーティファイ送信手段1121に処理の移行を行う。ノーティファイ送信手段1121は、NOTIFY(公示)の生成およびび送信を行う。
【００１３】
以上のような一連の動作によって、加入者端末12nのプレゼンス情報をプレゼンスシステム11で管理することを可能とし、管理しているプレゼンス情報を加入者端末12nに通知することを可能としている。
【００１４】
【特許文献１】特開２００２−１６６９６（第１−第６頁、図２）
【発明の開示】
【発明が解決しようとする課題】
【００１５】
しかしながら、上述した従来技術では、加入者端末毎のプレゼンス情報の管理および通知を行う構成であるため、インターネット電話サービスシステムによって構築されている複数端末を制御する場合、例えばマルチラインや代表電話サービスなどにおいて、複数端末の制御を行うグループ情報を取得する術がないという第１の問題点がある。
【００１６】
また、プレゼンス情報の監視を行うためのSUBSCRIBE(状態の購読)の発行は、存在する端末のみとなっているため、加入者として存在しない端末のユーザＩＤに対するプレゼンス情報の管理ができないという第２の問題点がある。
【００１７】
そこで、本発明の目的は、例えばマルチラインや代表電話サービスなど、管理している複数端末の制御を行う場合においてグループ情報を取得できるインターネット電話サービスシステムを提供することにある。
【００１８】
また、本発明の他の目的は、複数端末の制御を行うグループ情報において代表として使用される代表ユーザＩＤのプレゼンス情報の管理ができるインターネット電話サービスシステムを提供することにある。
【課題を解決するための手段】
【００１９】
本発明のインターネット電話プレゼンスシステムは、インターネット電話システムで管理されているユーザＩＤグループ情報を参照するグループ情報参照手段（図２の113）と、インターネット電話システムで管理されているユーザＩＤグループ情報が通知された場合に受信するグループ情報変更受信手段（図２の114）とを備え、インターネット電話システムで管理されている複数端末の制御を行うグループ情報、すなわちユーザＩＤグループ情報を取得するよう動作することを特徴とする。
【００２０】
更に、取得したユーザＩＤグループ情報に従い代表ユーザＩＤのプレゼンス情報の管理および制御を行うグループプレゼンス制御手段（図２の115）と、取得したユーザＩＤグループ情報で制御されるユーザＩＤに対してSUBSCRIBE(情報の購読)の擬似送信を行う擬似送信手段（図２の116）と、取得したユーザＩＤグループ情報の代表ユーザＩＤに送信されるNOTIFY(開示)の擬似受信を行う擬似受信手段（図２の117）とを備え、代表ユーザＩＤのプレゼンス情報管理を行い、インターネット電話システムの加入者端末へ代表ユーザＩＤのプレゼンス情報の送信をするよう動作する。
【発明の効果】
【００２１】
本発明の第１の効果は、プレゼンスシステムにグループ情報参照手段およびグループ情報変更受信手段を設けたため、マルチラインや代表電話サービスなど、管理している複数端末の制御を行う場合に、インターネット電話システムが有しているユーザＩＤグループ情報の取得を行うことができるということである。
【００２２】
また、第２の効果は、プレゼンスシステムに擬似送信手段と擬似受信手段を設けて、システム内部で擬似的なメッセージの送出処理および受信処理を行うことにより外部からのメッセージ受信を行わなくても、メッセージを受信したことと同等の処理を発生させることが可能としたため、加入者端末のユーザＩＤとして存在しないユーザＩＤ、すなわち代表ユーザＩＤのプレゼンス情報の管理ができるということである。
【発明を実施するための最良の形態】
【００２３】
本発明のインターネット電話プレゼンスシステムは、ユーザがインターネット電話システムを使用するときに加入者端末に相手の状態を示すプレゼンス情報を提供するインターネット電話プレゼンスシステムにおいて、代表ユーザＩＤおよびユーザＩＤグループの情報を取得する手段と、代表ユーザＩＤに従った代表ユーザＩＤ仮想端末をプレゼンスシステム内に生成する手段と、代表ユーザＩＤ仮想端末によりユーザＩＤグループのプレゼンス情報を集約し集約プレゼンス情報を生成する手段と、集約プレゼンス情報を通知する手段とを備え、１つの代表ユーザＩＤにより複数の異なるユーザＩＤによって構成されたユーザＩＤグループの制御を行うサービスを可能としたことを特徴とする。
【００２４】
代表ユーザＩＤおよびユーザＩＤグループの情報を取得する手段は、インターネット電話システムが保持している代表ユーザＩＤおよびユーザＩＤグループ情報を参照する手段と、インターネット電話システムからの代表ユーザＩＤおよユーザＩＤグループ情報の通知を取得する手段と、取得した代表ユーザＩＤおよびユーザＩＤグループ情報を保持する手段とを含む。
【００２５】
また、代表ユーザＩＤ仮想端末によりユーザＩＤグループのプレゼンス情報を集約する手段は、代表ユーザＩＤ仮想端末からプレゼンスシステムにユーザＩＤグループに登録されているユーザＩＤのプレゼンス情報の通知を要求する手段と、プレゼンスシステムから代表ユーザＩＤ仮想端末にユーザＩＤグループに登録されているユーザＩＤのプレゼンス情報の通知を行う手段と、ユーザＩＤグループに登録されているユーザＩＤのプレゼンス情報をユーザＩＤグループとしての集約プレゼンス情報に集約を行う手段とを含む。
【００２６】
また、ユーザＩＤグループに登録されているユーザＩＤのプレゼンス情報をユーザＩＤグループとしての集約プレゼンス情報に集約を行う手段は、ユーザＩＤグループに登録されているユーザＩＤのプレゼンス情報に重みを負荷して集約する手段を含む。
【実施例１】
【００２７】
次に、本発明の実施例について図面を参照して詳細に説明する。
【００２８】
図１を参照すると、本発明のインターネット電話サービスシステムは、インターネット電話システム100と、プレゼンスシステム110と、４つの加入者端末120〜123とから構成されている。インターネット電話システム100は、インターネット電話サービスの利用を許されているユーザを管理するための許可ユーザＩＤ130と、複数端末制御サービスを提供するためのユーザＩＤグループ情報131とを有する。加入者端末120〜123は、ユーザＩＤ140〜143を有し、ユーザＩＤ140〜143のユーザによって使用される。
【００２９】
プレゼンスシステム110は、ユーザがインターネット電話を使用するときに、加入者端末120〜123にプレゼンス情報を提供するシステムであり、特に被プレゼンス情報擬似監視対象とグループユーザＩＤ情報とを含むユーザＩＤプレゼンス情報150を有する。プレゼンスシステム110は、インターネット電話システム100が有しているユーザＩＤグループ情報131の取得と、加入者端末120〜123のユーザＩＤ140〜143として存在しないユーザＩＤ、すなわち代表ユーザＩＤのプレゼンス情報の管理を可能化する。
【００３０】
図２はプレゼンスシステム110の詳細を示す。プレゼンスシステム110は、ユーザＩＤプレゼンス情報150を含み、レジスタ受信手段1110，サブスクライブ受信手段1111，ノーティファイ受信手段、受信手段111，送信手段112，サブスクライブ送信手段1120，ノーティファイ送信手段1121，グループ情報参照手段113，グループ情報変更受信手段114，グループプレセンス制御手段115，擬似送信手段116および擬似受信手段117を備えている。
【００３１】
レジスタ受信手段1110は、インターネット電話システム100からユーザＩＤ14nのREGISTER(登録)を受信した場合、REGISTERメッセージ展開を行い受信手段111へ処理の移行を行う。
【００３２】
サブスクライブ受信手段1111は、加入者端末12nから通知されるSUBSCRIBE(状態の購読)の受信を行い、SUBSCRIBEメッセージの展開処理を行い、受信手段111に処理の移行を行う。
【００３３】
ノーティファイ受信手段1112は、加入者端末12nから通知されるNOTIFY(開示)の受信を行い、NOTIFYメッセージの展開処理を行い、受信手段111に処理の移行を行う。
【００３４】
受信手段111は、展開されたメッセージの情報に従い、ユーザＩＤプレゼンス情報150に対して、プレゼンス情報150nの生成／更新，プレゼンス情報監視対象150n1の更新，被プレゼンス情報監視対象150n2の更新または被プレゼンス情報擬似監視対象150n3の更新を行い、受信したメッセージが擬似SUBSCRIBEでなければ送信手段112に処理の移行を行う。
【００３５】
送信手段112は、展開されたメッセージの情報に従い、サブスクライブ送信手段1120への送信処理の指示，ノーティファイ送信手段1121への送信処理の指示，被プレゼンス情報監視対象150n2に従ったノーティファイ送信手段1121への送信処理の指示または被プレゼンス情報擬似監視対象150n3に従った擬似受信手段117への送信処理の指示を行う。
【００３６】
サブスクライブ送信手段1120は、送信手段112からの指示に従いSUBSCRIBE(状態の購読)の送信を行い、また、ノーティファイ送信手段1121は、送信手段112からの指示に従いNOTIFY(開示)の送信を行う。
【００３７】
グループ情報参照手段113は、インターネット電話システム100で管理を行っているユーザＩＤグループ情報131の読出しを行い、擬似送信手段116に対してユーザＩＤグループ情報の通知を行う。
【００３８】
グループ情報変更受信手段114は、インターネット電話システム100で管理を行っているユーザＩＤグループ情報131の変更通知の受信を行い、受信した通知からユーザＩＤグループ情報131の読出しを行い、擬似送信手段116に対してユーザＩＤグループ情報131の通知を行う。
【００３９】
グループプレゼンス制御手段115は、監視対象となる代表ユーザＩＤのグループユーザＩＤ情報1510に従ったユーザＩＤのプレゼンス情報150nの読出しを行い、読み出したプレゼンス情報をプレゼンス情報の重みに従ったプレゼンス情報の集約処理を行い、代表ユーザＩＤのプレゼンス情報150nの更新を行う。プレゼンス情報の“重み”とは、前述の“等級付け”と同義であり、アベイラビリティの程度を表わす概念である。
【００４０】
擬似送信手段116は、受信したユーザＩＤグループ情報131に従い、ユーザＩＤプレゼンス情報150に対し、ユーザＩＤグループ情報131の代表ユーザＩＤに対するプレゼンス情報150nの生成／更新を行い、代表ユーザＩＤが発信元でありグループユーザＩＤ情報1510が着信先である擬似SUBSCRIBEを受信手段111に通知する。
【００４１】
擬似受信手段117は、送信手段112からの指示に従い、代表ユーザＩＤに対するグループプレセンス制御手段115への指示を行い、送信手段112に処理の移行を行う。
【００４２】
図３はユーザＩＤプレゼンス情報150の詳細を示す。図３を参照すると、ユーザＩＤプレゼンス情報150は、“コンテンツ”としてのプレゼンス情報150nと、プレゼンス情報監視対象150n1と、被プレゼンス情報監視対象150n2と、被プレゼンス情報擬似監視対象150n3と、グループユーザＩＤ情報151nとから成る。プレゼンス情報監視対象150n1はユーザＩＤ150n1n、被プレゼンス情報監視対象150n2はユーザＩＤ150n20〜150n2n、被プレゼンス情報擬似監視対象150n3はユーザＩＤ150n30〜150n3n、グループユーザＩＤ情報151nはユーザＩＤ151n0〜151nnでそれぞれ指定される。
【００４３】
次に、図２，図３および図４〜図７のフローチャートを参照して本実施例の動作について詳細に説明する。
【００４４】
まず、グループ情報参照手段113もしくはグループ情報変更受信手段114によってインターネット電話システム100が有するユーザＩＤグループ情報131の取得が行われた場合、擬似送信手段116に対してユーザＩＤグループ情報の通知が行われる（図４のステップA1）。
【００４５】
擬似送信手段116は、ユーザＩＤプレゼンス情報150に対して、プレゼンス情報監視対象150n1がユーザＩＤグループ情報131の代表ユーザＩＤであるプレゼンス情報150nの生成／更新を行う（ステップA2）。さらに、擬似送信手段116は代表ユーザＩＤを被プレゼンス情報監視対象150n2、グループユーザＩＤ情報151nのユーザＩＤをプレゼンス情報監視対象とした擬似SUBSCIRBEメッセージの生成およびメッセージの展開を行い、受信手段111に対し通知を行う（ステップA3）。
【００４６】
受信手段111は、展開されたメッセージの情報に従い、プレゼンス情報監視対象150n1がプレゼンス情報監視対象であるユーザＩＤプレゼンス情報150nの被プレゼンス情報擬似監視対象150n3を代表ユーザＩＤとする登録／更新を行う（ステップA4）。最後に、擬似送信手段116はグループユーザＩＤ情報151nのユーザＩＤに従ってプレゼンス情報の読出しを行い（ステップA5）、グループプレゼンス制御手段115によってプレゼンス情報の登録／更新を行う（ステップA6）。
【００４７】
また、加入者端末からユーザＩＤグループ情報の代表ユーザＩＤに対してSUBSCIRBE送信が行われた場合、サブスクライブ受信手段1111から受信手段111にSUBSCIRBEメッセージの展開を行った情報が通知される(図５のステップB1)。受信手段111は、プレゼンス情報監視対象150n1が代表ユーザＩＤであるプレゼンス情報150nの被プレゼンス情報監視対象150n2にSUBSCIRBEの送信を行ったSUBSCIRBE送信元加入者端末のユーザＩＤの登録を行って(ステップB2)、送信手段112に処理の移行を行う。
【００４８】
送信手段112は、プレゼンス情報監視対象150n1が代表ユーザＩＤであるプレゼンス情報150nをサブスクライブ送信元加入者端末に通知するように、ノーティファイ送信手段1121に指示を行う(ステップB3)。
【００４９】
次に、加入者端末からNOTIFY送信が行われた場合、ノーティファイ受信手段1112は、NOTIFYメッセージの展開処理を行って受信手段111に通知する(図６のステップC1)。受信手段111は、プレゼンス情報監視対象150n1がNOTIFY送信元加入者端末のユーザＩＤであるプレゼンス情報150nを展開されたメッセージに従い更新し、送信手段112に処理の移行を行う(ステップC2)。
【００５０】
送信手段112は、プレゼンス情報監視対象150n1がNOTIFY送信元加入者端末のユーザＩＤであるプレゼンス情報150nの被プレゼンス情報擬似監視端末150n3に登録があるか確認し、登録がある場合は、登録されているユーザＩＤ150n3nに、プレゼンス情報監視対象150n1がNOTIFY送信元加入者端末のユーザＩＤであるプレゼンス情報150nの通知を行うように、擬似受信手段117に指示を行う(ステップC3)。
【００５１】
擬似受信手段117は、指示されたユーザＩＤ、すなわち代表ユーザＩＤのプレゼンス情報150nのグループユーザＩＤ情報151nのユーザＩＤに従ってプレゼンス情報の読出しを行い（ステップC4）、グループプレゼンス制御手段115によってプレゼンス情報の登録／更新を行う（ステップC5）。そして、擬似受信手段117から送信手段112への処理の移行を行う。
【００５２】
送信手段112はプレゼンス情報監視対象150n1が代表ユーザＩＤであるプレゼンス情報150nを、プレゼンス情報監視対象150n1が代表ユーザＩＤであるプレゼンス情報150nの被プレゼンス情報監視端末150n2に通知するように、NOTIFY送信手段1121に指示を行う(ステップC6)。
【００５３】
最後に、グループプレセンス制御手段115によるプレゼンス情報の重みに従った、プレゼンス情報集約処理について説明する。
【００５４】
グループプレセンス制御手段115は、プレゼンス情報150nのグループユーザＩＤ情報151nのユーザＩＤ151nnに従って、各ユーザＩＤのプレゼンス情報150nの取得を行う（ステップD1）。さらに、取得したプレゼンス情報の中でもっとも情報の重みの高い“オンライン”が存在するか確認を行い(ステップD2)、もしも、“オンライン”が存在する場合にはプレゼンス情報150nを“オンライン”に設定する(ステップD4)。さらに、取得したプレゼンス情報の中で2番目に情報の重みの高い“ビジー”が存在するか確認を行い(ステップD3)、もしも、“ビジー”が存在する場合にはプレゼンス情報150nを“ビジー”に設定する(ステップD5)。もしも、“オンライン”および“ビジー”が存在しない場合にはプレゼンス情報150nを“オフライン”に設定する(ステップD6)。
【００５５】
なお、プレゼンスシステム110は、具体的には、CPU，HDDおよびメモリにより構成される一般的な汎用サーバ装置上に搭載され得る。そして、図８に示すように、複数の汎用サーバ装置200，210〜を設けて、汎用サーバ装置200，210〜それぞれにプレゼンスシステム110を配することも可能である。
【００５６】
また、プレゼンス情報の重みによる集約処理は、グループプレゼンス制御手段115によることなくユーザが独自に制御ことも可能である。
【図面の簡単な説明】
【００５７】
【図１】本発明のインターネット電話サービスシステムの構成例を示すブロック図
【図２】図１に示した構成例におけるプレゼンスシステムの詳細図
【図３】本発明におけるユーザＩＤプレゼンス情報の構成図
【図４】本発明においてユーザＩＤグループ情報131の取得が行われた場合の流れ図
【図５】本発明において加入者端末からユーザＩＤグループ情報の代表ユーザＩＤに対してSUBSCIRBE送信が行われた場合の流れ図
【図６】本発明において加入者端末からNOTIFY送信が行われた場合の流れ図
【図７】本発明のグループプレセンス制御手段115によるプレゼンス情報の重みに従ったプレゼンス情報の集約処理を示す流れ図
【図８】本発明のインターネット電話サービスシステムの他の構成例を示すブロック図
【図９】従来のインターネット電話サービスシステム例の構成を示すブロック図
【図１０】図９に示した構成例におけるプレゼンスシステムの詳細図
【符号の説明】
【００５８】
100         インターネット電話システム
110         プレゼンスシステム
111         受信手段
112         送信手段
113         グループ情報参照手段
114         グループ情報変更受信手段
115         グループプレゼンス制御手段
116         擬似送信手段
117         擬似受信手段
120〜123    加入者端末
130         許可ユーザID
131         ユーザＩＤグループ情報
140〜143    ユーザＩＤ
150         ユーザＩＤプレゼンス情報
200，210    汎用サーバ装置
1110        レジスタ受信手段
1111        サブスクライブ受信手段
1112        ノーティファイ受信手段
1120        サブスクライブ送信手段
1121        ノーティファイ送信手段
150n        プレゼンス情報
151n        ユーザＩＤグループプレゼンス情報
150n1       プレゼンス情報監視対象
150n2       被プレゼンス情報監視対象
150n3       被プレゼンス情報擬似監視対象
【図１】
2005354562.tif 000003
【図２】
2005354562.tif 000004
【図３】
2005354562.tif 000005
【図４】
2005354562.tif 000006
【図５】
2005354562.tif 000007
【図６】
2005354562.tif 000008
【図７】
2005354562.tif 000009
【図８】
2005354562.tif 000010
【図９】
2005354562.tif 000011
【図１０】
2005354562.tif 000012